(57)【要約】【課題】扉の施錠、解錠状態が一目で分かり、解錠状態の扉をキー無しで簡易に施錠可能とするロック装置およびこれを用いた保管庫を提供することである。【解決手段】施解錠表示ロッカー錠１０を備えるロッカー１を正面から見た場合、取っ手１３の施解錠表示部１２の着色面が正面を向いていないことにより施錠状態であることを遠くからでも一目で判断することができる。また、ロッカー１は、取っ手１３を押し込み操作するだけで施錠状態にすることができるため、施錠操作も簡便にすることができる。【選択図】図１
2008008078.tif 000002
【特許請求の範囲】
【請求項１】
解錠状態である待機位置と、空錠を解除する空錠解除位置と、施錠を行う施錠位置の少なくとも３つのポジションを有する取っ手を備えたことを特徴とする、
ロック装置。
【請求項２】
前記取っ手は、
前記待機位置から引き操作を行うことで前記空錠解除位置となり、
前記待機位置から押し込み操作を行うことで前記施錠位置となることを特徴とする、
請求項１に記載のロック装置。
【請求項３】
前記取っ手の位置で施錠または解錠の状態を表示する施解錠表示部を備えたことを特徴とする、
請求項１または２に記載のロック装置。
【請求項４】
前記施解錠表示部は、
前記取っ手が前記待機位置にある場合には、前記取っ手の正面方向から見える位置になり、
前記取っ手が前記施錠位置にある場合には、前記待機位置における取っ手の正面方向から見えない位置になることを特徴とする、
請求項３に記載のロック装置。
【請求項５】
前記施解錠表示部は、
前記取っ手が前記施錠位置にある場合には、前記取っ手の正面方向から見える位置になり、
前記取っ手が前記待機位置にある場合には、前記施錠位置における取っ手の正面方向から見えない位置になることを特徴とする、
請求項３に記載のロック装置。
【請求項６】
前記取っ手を前記施錠位置から前記待機位置とする解錠手段を更に備えたことを特徴とする、
請求項１から５のいずれかに記載のロック装置。
【請求項７】
請求項１から６のいずれかに記載のロック装置が扉に取り付けられ、前記取っ手の操作により前記扉の施錠が可能であることを特徴とする、
保管庫。
【発明の詳細な説明】
【技術分野】
【０００１】
本発明は、ロッカー、家具、建物等の扉に使用されるロック装置およびこれを用いた保管庫に関する。
【背景技術】
【０００２】
従来、ロッカーや収納庫等に用いられている施錠装置は、シリンダーヘッドの表面が見えているだけであるため、施錠状態にあるか解錠状態にあるかを、目視により確認することはできない。
【０００３】
そこで、施錠したか否かを確認できる開閉表示機能付きキーが提案されている(特許文献１)。
【特許文献１】特開平１０‐９６３５０号公報
【発明の開示】
【発明が解決しようとする課題】
【０００４】
しかしながら、上記開閉表示機能付きキーは、キー側に施錠、解錠状態を表示する表示窓を設けているだけであるため、ロック装置を用いているロッカーや収納庫の扉自体の施錠、解錠状態を確認することはできない。このため、管理者は扉の施錠、解錠の確認作業が負担になる。
【０００５】
また、従来のロッカーや収容庫では、扉の施錠、解錠をキーによって行うため、使用者の操作負担が大きく、ロック装置が付いていながら扉の施錠を行っていないケースも多く、ロック装置本来の機能が生かされていないケースもあった。
【０００６】
本発明は、斯かる実情に鑑みてなされたものであり、施錠、解錠状態が一目で分かり、解錠状態の扉を鍵無しでも簡易に施錠可能とするロック装置およびこれを用いた保管庫を提供することを目的とする。
【課題を解決するための手段】
【０００７】
本発明のロック装置は、解錠状態である待機位置と、空錠を解除する空錠解除位置と、施錠を行う施錠位置の少なくとも３つのポジションを有する取っ手を備えたことを特徴とする。
【０００８】
この発明によれば、ロック装置の施錠や、空錠の解除を取っ手の操作で簡便に行うことができ、利用者の操作負担を軽減することができる。
【０００９】
また、本発明のロック装置は、前記取っ手は、前記待機位置から引き操作を行うことで前記空錠解除位置となり、前記待機位置から押し込み操作を行うことで前記施錠位置となることを特徴とする。
【００１０】
この発明によれば、取っ手の押し込み操作だけで施錠を行うことができ、利用者の施錠操作を簡便にすることができる。
【００１１】
また、本発明のロック装置は、前記取っ手の位置で施錠または解錠の状態を表示する施解錠表示部を備えたことを特徴とする。
【００１２】
この発明によれば、ロック装置の施錠、解錠状態を離れたところからでも一目で確認することができ、管理者の管理負担を軽減することができる。
【００１３】
また、本発明のロック装置は、前記施解錠表示部は、前記取っ手が前記待機位置にある場合には、前記取っ手の正面方向から見える位置になり、前記取っ手が前記施錠位置にある場合には、前記待機位置における取っ手の正面方向から見えない位置になることを特徴とする。
【００１４】
この発明によれば、施開錠表示部が見えない位置にある場合にはロック装置が施錠状態であることが一目で確認でき、管理者の管理負担を軽減することができる。
【００１５】
また、本発明のロック装置は、前記施解錠表示部は、前記取っ手が前記施錠位置にある場合には、前記取っ手の正面方向から見える位置になり、前記取っ手が前記待機位置にある場合には、前記施錠位置における取っ手の正面方向から見えない位置になることを特徴とする。
【００１６】
この発明によれば、施開錠表示部が見える位置にある場合にはロック装置が施錠状態であることが一目で確認でき、管理者の管理負担を軽減することができる。
【００１７】
また、本発明のロック装置は、前記取っ手を前記施錠位置から前記待機位置とする解錠手段を更に備えたことを特徴とする。
【００１８】
この発明によれば、解錠する場合は鍵などの解錠手段を必要とするので、施錠時の信頼性も維持することができる。
【００１９】
また、本発明の保管庫は、上述のロック装置が扉に取り付けられ、前記取っ手の操作により前記扉の施錠が可能であることを特徴とする。
【００２０】
この発明によれば、扉の施錠、解錠状態を離れたところからでも一目で確認することができる保管庫を提供することができ、施錠の確認作業を容易にでき、管理者の管理負担を軽減することができる。
【発明の効果】
【００２１】
本発明によれば、扉の施錠、解錠状態が一目で分かり、解錠状態の扉を鍵無しでも簡易に施錠でき、使用者や管理者の利便性を向上できる。
【発明を実施するための最良の形態】
【００２２】
以下、本発明の実施の形態を添付図面を参照して説明する。
【００２３】
図１は、本発明を適用した一実施の形態に係るロッカーの構成を示す図である。図１において、(ａ)はロッカーの要部構成を示す正面図、(ｂ)は(ａ)の右側面図、(ｃ)は(ａ)の上面図である。
【００２４】
図１(ａ)および(ｂ)において、ロッカー１は、筐体２に開閉可能に扉３を取り付け、扉３の上下にはフックユニット４を取り付け、扉３の中央付近には施解錠表示ロッカー錠１０の錠ケース１１を取り付けており、フックユニット４内の機構と錠ケース１１内の開閉機構は１本の角ロッド棒５で連結している。
【００２５】
図１(ａ)において、施解錠表示ロッカー錠１０は、錠ケース１１内に施解錠表示部１２を有する取っ手１３と、解錠用錠前（本発明に係る「解除手段」）１４を備える。取っ手１３は、引き操作および押し込み操作に応じて所定範囲の回転角で回転するように角ロット棒５に軸支されている。施解錠表示部１２は、取っ手１３の表面に着色されて形成されており、取っ手１３の引き操作および押し込み操作に応じて扉３が施錠状態にあるか解錠状態にあるかを色で識別表示する。取っ手１３が引かれて解錠状態にある場合は、施解錠表示部１２は正面を向いており、例えば、解錠状態にあることを赤色で示し、取っ手１３が押し込まれて施錠状態にある場合は、施解錠表示部１２は正面から見えなくなり、施錠状態であることを示す。施解錠表示ロッカー錠１０は、取っ手１３の操作により空錠の解除や、施錠を行い、解錠用錠前１４により解錠を行うように構成されている。また、取っ手１３は、解錠状態である待機位置と、空錠を解除する空錠解除位置と、施錠を行う施錠位置の３つのポジションを有するように構成されている。
【００２６】
図１(ｃ)において、上側のフックユニット４は、角ロッド棒５の上端部に取り付けられたフック４ａとトーションスプリング４ｂから構成される。フック４ａは、トーションスプリング４ｂにより常にフック４ａが筐体２に引っかかろうとする方向の力が付勢されている。このため、施錠状態でも解錠状態でも扉３が自然に開いてしまうことがない。なお、下側のフックユニット４も同様の構成である。
【００２７】
図２は、施解錠表示ロッカー錠１０の内部構成を示す図である。図２において、(ａ)は施解錠表示ロッカー錠１０の内部構成を示す正面図、(ｂ)は(ａ)のＡ‐Ａ線矢視断面図、(ｃ)は(ａ)のＢ‐Ｂ線矢視断面図である。なお、図２において、取っ手１３は、待機位置(解錠状態)にある。
【００２８】
図２(ａ)および(ｂ)において、錠ケース１１内の解錠用錠前１４が取り付けられた下部収納部１１ａには、角ロッド棒５に軸支されて取っ手１３の操作に応じて回転するカム機構を備えたドライブカム１５と、トーションスプリング１６が取り付けられて解錠用錠前１４の解錠時の解錠カム１４ａ(同図(ｃ)参照)の回転動作に応じて回転するロックカム１７と、を収納している。ドライブカム１５には、取っ手１３の切欠き部１３ａ(同図(ｃ)参照)に当たってドライブカム１５を回転させる当たり面１５ａが形成されている。
【００２９】
図２(ｃ)において、錠ケース１１内の取っ手１３が取り付けられた上部収納部１１ｂには、取っ手１３の押し込み操作に応じて取っ手１３の切欠き部１３ａと係合して、施錠動作を行うロックカム１８が収納されている。ロックカム１８は、取っ手１３の切欠き部１３ａと係合して、扉３を施錠状態とする係合部１８ａを有する。
【００３０】
次に、取っ手１３の引き操作により扉３を開くときの各部の動作について、図３を参照して説明する。図３において、(ａ)は図２(ａ)のＡ‐Ａ矢視断面図における取っ手１３の動作を示す図、(ｂ)は取っ手１３を付勢するトーションスプリング１９を示す図、(ｃ)は図２(ａ)のＢ‐Ｂ線矢視断面図におけるドライブカム１５の動作を示す図、(ｄ)はフックユニット４の動作を示す図である。なお、図３において、取っ手１３は、空錠を解除する空錠解除位置にある。
【００３１】
図３(ｂ)に示すように、取っ手１３の角ロッド棒５の上部取り付け部分には、取っ手１３に対して図中の矢印方向に付勢する付勢力Ｆを与えるトーションスプリング１９が取り付けられている。
【００３２】
まず、図３(ａ)において、取っ手１３が手前(図中の下側)に引かれると、取っ手１３は時計回りに２５°回転し、取っ手１３は空錠解除位置となる。取っ手１３が回転すると、同図(ｃ)に示すように、ドライブカム１５は当たり面１５ａが取っ手１３により押されて共に回転する。角ロッド棒５はドライブカム１５と共に回転し、同図(ｄ)に示すように、フック４ａも時計回りに２５°回転する。すなわち、フック４ａと筐体２の係合が外れて扉３を開くことができる。
【００３３】
そして、取っ手１３から手を離すと、取っ手１３に係合しているトーションスプリング１９の付勢力Ｆ(同図(ｂ))により、フック４ａ、角ロッド棒５、ドライブカム１５および取っ手１３は解錠状態の位置に戻る。すなわち、取っ手１３は待機位置に戻る。
【００３４】
この時、施解錠表示ロッカー錠１０は、図２(ａ)に示す正面図の状態であり、取っ手１３の施解錠表示部１２は、その着色面が正面を向いた状態(取っ手１３の正面方向から見える位置)となり、取っ手１３を引けば扉３が開く状態であることを示すことになる。
【００３５】
したがって、施解錠表示ロッカー錠１０を備えるロッカー１を正面から見た場合、取っ手１３の施解錠表示部１２の着色面が正面を向いていることにより解錠状態であることを遠くからでも一目で判断することができる。
【００３６】
次に、取っ手１３の押し込み操作により施錠状態にする場合の各部の動作について、図４を参照して説明する。図４において、(ａ)は施解錠表示ロッカー錠１０の施錠状態を示す正面図、(ｂ)は(ａ)のＢ‐Ｂ線矢視断面図、(ｃ)は(ａ)のＡ‐Ａ線矢視断面図である。なお、図４において、取っ手１３は施錠位置にある。
【００３７】
まず、図４(ｂ)において、取っ手１３を奥側(図中の上側)に押し込んで反時計回りに９０°回転させて施錠位置とすると、ロックカム１８の係合部１８ａの直下に取っ手１３の切欠き部１３ａが回転し、ロックカム１８に係合しているトーションスプリング１６の付勢力Ｆによりロックカム１８の係合部１８ａが取っ手１３の切欠き部１３ａにはまり込む。また、同図(ｃ)に示すように、取っ手１３が反時計回りに９０°回転すると、ドライブカム１５の当たり面１５ａも移動し、ドライブカム１５が時計回り方向、すなわちフック４ａと筐体２との係合を外す解錠方向に回らなくなるため、扉３を開くことができなくなる。
【００３８】
さらに、解錠時に取っ手１３の正面にあった施解錠表示部１２が、同図(ａ)に示すように正面から見えない位置(待機位置における取っ手１３の正面方向（扉３の正面方向）から見えない位置)に移動するため、施錠状態であることを示すことになる。
【００３９】
したがって、施解錠表示ロッカー錠１０を備えるロッカー１を正面から見た場合、取っ手１３の施解錠表示部１２の着色面が正面を向いていないため、施錠状態であることを遠くからでも一目で判断することができる。また、本実施の形態のロッカー１は、取っ手１３を押し込み操作するだけで、施錠状態にすることができるため、施錠操作も簡便にすることができる。
【００４０】
次に、施解錠表示ロッカー錠１１が施錠状態から解錠用錠前１４の操作により解錠状態とする場合の各部の動作について、図５〜図７を参照して説明する。図５において、(ａ)は施解錠表示ロッカー錠１０の施錠状態を示す正面図、(ｂ)は(ａ)のＢ‐Ｂ線矢視断面図、(ｃ)は(ａ)のＡ‐Ａ線矢視断面図である。図６において、(ａ)は解錠操作時の施解錠表示ロッカー錠１０の正面図、(ｂ)は(ａ)のＡ‐Ａ線矢視断面図、(ｃ)は(ａ)のＢ‐Ｂ線矢視断面図、(ｄ)は取っ手を付勢するトーションスプリングの動作を示す図である。図７は、解錠カム１４ａとロックカム１７の関係を示す外観斜視図である。なお、図５において、取っ手１３は施錠位置にある。また、図６において、取っ手１３は施錠位置にあり、施解錠表示ロッカー錠１０は施錠状態から解錠される過程にある。
【００４１】
まず、図５(ａ)〜(ｃ)に示すように、取っ手１３は施錠位置、ロックカム１８およびドライブカム１８は施錠状態にある。この施錠状態から解錠する場合は、図６(ａ)に示すように、解錠用錠前１４の鍵穴に鍵を差し込んで反時計回りに回転させると、同図(ｂ)および図７に示す解錠用錠前１４の後部に設けた解錠カム１４ａがロックカム１７を時計回り(図中矢印)に回転させる。
【００４２】
このロックカム１７の回転により、図６(ｃ)に示すように、取っ手１３の切欠き部１３ａにはまっていたロックカム１８の係合部１８ａが切欠き部１３ａから外れるため、同図(ｄ)に示すように、取っ手１３に係合しているトーションスプリング１９の付勢力Ｆにより、取っ手１３は待機位置(解錠状態)に戻る。そして、解錠用錠前１４を元の位置に戻して鍵穴から鍵を抜くことで、図２(ａ)に示す取っ手１３は待機位置となり、施解錠表示ロッカー錠１１は解錠状態となる。
【００４３】
したがって、施錠状態にある施解錠表示ロッカー錠１０を解錠用錠前１４に鍵を差し込んで解錠状態とすることにより、取っ手１３の施解錠表示部１２の着色面が再度正面を向くことになり、解錠状態であることを遠くからでも一目で判断することができる。
【００４４】
以上のように、本実施の形態の施解錠表示ロッカー錠を備えたロッカーによれば、取っ手を押し込み操作するだけで施錠することができるため、無施錠を確認した場合に鍵が無い場合でも即座に施錠することができる。また、取っ手に施解錠表示部を形成したことにより、離れたところからでも施錠、解錠状態が一目で分かりるため、例えば、ロッカーの管理者による扉の施錠状態を確認する作業を容易にすることができる。したがって、施解錠表示ロッカー錠を備えたロッカーを利用することにより、利用者の利便性を向上させ、管理者の管理負担を軽減することができる。
【００４５】
なお、上記施解錠表示ロッカー錠の機構は、シリンダー錠、ナンバー錠またはその他の錠にも適用可能である。
【００４６】
なお、本発明のロック装置およびこれを用いた保管庫は、上記した実施の形態に限定されるものではなく、本発明の要旨を逸脱しない範囲内において種々変更を加え得ることは勿論である。例えば、上記取っ手１３に設けた施解錠表示部１２は、解錠状態では正面から見えない位置になり、施錠状態では正面から見える位置になるように構成しても良い。
【００４７】
上記実施の形態では、取っ手１３を回動させる（回転運動させる）例を示したが、本発明に係る「取っ手」はこれに限定されるものではなく、例えば、取っ手１３を扉３の幅方向、高さ方向、厚み方向にスライド（直線運動）させるようにしてもよい。
【００４８】
また、取っ手１３を手前方向に引くことによって解錠状態とし、取っ手１３を奥側に押し込むことによって施錠状態とする例を示したが、本発明に係る「引き操作」や「押し込み操作」はこれに限定されるものではなく、例えば、取っ手をスライド可能に構成し、一方向へのスライド操作（引き操作）で解錠状態とし、他方向へのスライド操作（押し込み操作）で施錠状態としてもよい。
【産業上の利用可能性】
【００４９】
本発明のロック装置およびこれを用いた保管庫は、扉の施錠、解錠状態が一目で分かり、解錠状態の扉を鍵無しでも簡易に施錠可能とする
【図面の簡単な説明】
【００５０】
【図１】本発明の一実施の形態に係る(ａ)はロッカーの要部構成を示す正面図、(ｂ)は(ａ)の右側面図、(ｃ)は(ａ)の上面図である。
【図２】本実施の形態に係る(ａ)は施解錠表示ロッカー錠の内部構成を示す正面図、(ｂ)は(ａ)のＡ‐Ａ線矢視断面図、(ｃ)は(ａ)のＢ‐Ｂ線矢視断面図である。
【図３】本実施の形態に係る(ａ)は図２(ａ)のＡ‐Ａ矢視断面図における取っ手の動作を示す図、(ｂ)は取っ手を付勢するトーションスプリングの構成を示す図、(ｃ)は図２(ａ)のＢ‐Ｂ線矢視断面図におけるドライブカムの動作を示す図、(ｄ)はフックユニットの動作を示す図である。
【図４】本実施の形態に係る(ａ)は施解錠表示ロッカー錠の施錠状態を示す正面図、(ｂ)は(ａ)のＢ‐Ｂ線矢視断面図、(ｃ)は(ａ)のＡ‐Ａ線矢視断面図である。
【図５】本実施の形態に係る(ａ)は施解錠表示ロッカー錠の施錠状態を示す正面図、(ｂ)は(ａ)のＢ‐Ｂ線矢視断面図、(ｃ)は(ａ)のＡ‐Ａ線矢視断面図である。
【図６】本実施の形態に係る(ａ)は解錠操作時の施解錠表示ロッカー錠の正面図、(ｂ)は(ａ)のＡ‐Ａ線矢視断面図、(ｃ)は(ａ)のＢ‐Ｂ線矢視断面図、(ｄ)は取っ手を付勢するトーションスプリングの動作を示す図である。
【図７】本実施の形態に係る解錠カムとロックカムの関係を示す外観斜視図である。
【符号の説明】
【００５１】
１  ロッカー
２  筐体
３  扉
４  フックユニット
４ａ  フック
４ｂ、１６、１９  トーションスプリング
５  角ロッド棒
１０  施解錠表示ロッカー錠
１１  錠ケース
１２  施解錠表示部
１３  取っ手
１３ａ  切欠き部
１４  解錠用錠前
１４ａ  解錠カム
１５  ドライブカム
１５ａ  当たり面
１７、１８  ロックカム
【図１】
2008008078.tif 000003
【図２】
2008008078.tif 000004
【図３】
2008008078.tif 000005
【図４】
2008008078.tif 000006
【図５】
2008008078.tif 000007
【図６】
2008008078.tif 000008
【図７】
2008008078.tif 000009